(57)【要約】【課題】  床面の水や油などを吸引して除去するときに液体の取り残し、あるいは一度吸引した液体が逆に漏れ出す等の問題がある。【解決手段】本発明は上記課題に鑑みなされたものであり、液体吸引用ノズルにおいて、床面接触用の柔軟性リップを吸込口の進行方向前後に取り付け、該柔軟性リップの外周側面上に複数の凸部を設け、該柔軟性リップの内側の位置にあって、それぞれの該柔軟性リップに対応するように堅硬性リップを該柔軟性リップと並行に取り付ける。【選択図】  図１
2010088597.tif 000002
【特許請求の範囲】
【請求項１】
床面接触用の柔軟性リップを吸込口の進行方向前後に取り付け、
該柔軟性リップのノズル外周側面上に複数の凸部を設け、
該柔軟性リップの内側の位置にあって、それぞれの該柔軟性リップに対応するように堅硬性リップを該柔軟性リップと並行に取り付けること
を特徴とする液体吸引用ノズル。
【請求項２】
請求項１に記載のノズルにおいて、
該柔軟性リップのリップ高より、該堅硬性リップのリップ高が低めに設定されていることを特徴とする液体吸引用ノズル。
【請求項３】
請求項１または請求項２に記載のノズルに置いて、
前側の該堅硬性リップのリップ高が後ろ側の該堅硬性リップのリップ高より大きいことを特徴とする液体吸引用ノズル。
【発明の詳細な説明】
【技術分野】
【０００１】
本発明は、床面の水や油などを吸引して除去するための液体吸引用ノズルに関する。
【背景技術】
【０００２】
床面の水や油などを吸引して除去するときに液体の取り残し、あるいは一度吸引した液体が逆に漏れ出す等の問題があったが、その対策としていくつかの技術が開示されている。
その代表的技術として、吸込口の前後に取るけるリップにおいて、その外周側面上に複数の凸部を設けることにより、ノズルを前後させたときに、リップが倒れ、複数凸部と床面の間に生じる隙間が液体の導入経路となり、液体を効率よく吸収する技術が開示されている（特許文献１）。
【０００３】
また、前後のリップの中間に仕切りリップを設け、前後リップの内周側面に生じる凹凸による縞状の液漏れを防止する技術が開示されている（特許文献２）。さらには、リップが過度に傾斜すると、接触圧力が低下し、液体の取り残しが発生するので、これを防止するために、リップの傾斜角度を一定に保つための傾斜ガイドを設ける技術が開示されている（特許文献３）。また、柔軟性を有するリップの外側に堅硬性を有するリップを設け、柔軟性リップの過度の傾斜を防止し、あるいは柔軟性リップを床面に適度に押圧し、一度取り込んだ液の縞状の漏れ出しを防止する技術が開示されている（非特許文献１）。
【特許文献１】米国特許３，５２０，０１２号
【特許文献２】特開平８−１４０９０４号公報
【特許文献３】特許平９−２０６２６２号公報
【非特許文献１】業務用掃除機ＭＣ−Ｇ６６０ｗ  松下電気産業製
【発明の開示】
【発明が解決しようとする課題】
【０００４】
特許文献１の技術では、リップの外周側面上の下部に複数の凸部が設けられているので、一のリップの凸部間の隙間が液体導入通路として機能し、効率的に液体の吸引ができる一方、外周側面上に設けた複数凸部の影響でリップの内周側面にも凹凸が生じるので、他方の柔軟性リップより液の縞状漏れ出しが生じるという問題があり、また、リップが過度に傾斜したときに接触圧力が低下し、液の取り残しを生ずる問題があった。
【０００５】
これに対し、特許文献2の技術では、前後のリップの中間点に凹凸のない平板な仕切りリップを設置することで、液の縞状漏れ出しを防止することが提案されている。しかし、この技術では、リップが過度に傾斜したとき、接触圧力低下による液の取り残しが発生するという問題は依然として未解決のまま残る。
【０００６】
逆に、特許文献３の技術では、リップの過度の傾斜による液の取り残しは防止できるが、
外周側面上の凸部の影響による内周側面上に発生する凹凸による液の縞状漏れ出しの問題は依然として未解決のまま残る。
【０００７】
一方、非特許文献１の柔軟性のあるリップ５００の外側に堅硬性のリップ６００を設ける技術が開示されている。図８は、図３で定義するＡ−Ａ’断面図に相当する非特許文献１の技術を図示したもので、進行方向の後ろ側では、外側に設けられた堅硬性リップ６００により、その内側の柔軟性リップ５００が抑えられることにより、柔軟性リップ５００の裏面に凹凸の発生を防止し、液の縞状漏れ出しを防止することができる。
【０００８】
しかしながら、この方法では、進行方向前面のもう一つの堅硬性リップ６００が直接床面８００に接するので、床面８００との不要の摩擦を発生し、吸込口本体３００の操作がやり難くなる。これを解消しようと吸込口本体３００の進行方向前面を軽く浮かせると該堅硬性リップ６００の床面８００との不要な摩擦は、解消されるが、その内側に設置された該柔軟性リップ５００の床面８００との接触圧力が減少し、液の取り残しが生ずるという問題があった。
【課題を解決するための手段】
【０００９】
本発明は上記課題に鑑みなされたものであり、液体吸引用ノズルにおいて、床面接触用の柔軟性リップを吸込口の進行方向前後に取り付け、該柔軟性リップの外周側面上に複数の凸部を設け、該柔軟性リップの内側の位置にあって、それぞれの該柔軟性リップに対応するように堅硬性リップを該柔軟性リップと並行に取り付ける。
【発明の効果】
【００１０】
本発明によれば、堅硬性リップと柔軟性リップの取り付け位置が、非特許文献１とは逆になっているので、引く時も押す時も進行方向の先頭にある堅硬性リップは、柔軟性リップの上に乗る形となることで、柔軟性リップの床面との接触圧力は十分に保たれ、接触圧力不足による液の取り残しを防止でき、かつ、堅硬性リップが直接床面と接することが無いので、不要の摩擦を生じることが無く、スムースな移動の妨げの要因とはならない。
【００１１】
一方、進行方向の後ろにある堅硬性リップは、直接床面と接触することになるが、吸込口本体の進行方向の後部を少し浮くように操作することで床面との摩擦を回避し、吸引ノズル全体としてスムースな移動を可能にしつつ、かつ対応する柔軟性リップは、吸込口本体の中で床面に密着する方向に吸引されているので、接触圧力が十分に働き、液の縞状漏れ出しが生じることが無いという効果がある。
【発明を実施するための最良の形態】
【００１２】
図１は、本発明の液体吸引用ノズルの外観を示す。図２および図３は、該ノズルの平面図および底面図である。図２および図３において、ノズルは左右対称であるので、右半分は省略した。図１に示すように、横長の吸込口本体３００を取り巻くように合成ゴム製の輪状の床面接触用の柔軟性リップ５００が取り付けられ、図３に示すように、その内側に熱硬化性樹脂製の堅硬性リップ６００が取り付けられている。吸込口本体３００は、全体に丸みを有する形状に形成され、その中心付近には、後方に向かって伸びる首部７００が形成されている。この首部７００には曲がり管９００が挿入され固定されている。この曲がり管９００には、図示省略したクリーナー本体から伸ばされているフレキシブルチューブが接続される。
【００１３】
図４は、吸込口本体３００のＡ−Ａ’断面図を示す。吸込口本体３００の外壁３３０と内壁３４０とで形成される空隙３５０に柔軟性リップ５００と堅硬性クリップ６００が合わせて挿入され、ねじ３１０によって固定される。この柔軟性リップ５００と堅硬性リップ６００のリップ高は、図示されているように堅硬性リップ６００の方が、かなり小さく設定することが重要である。
【００１４】
図５は、使用時の吸込口本体３００のＡ−Ａ’断面図を示す。図６は柔軟性リップの正面図を示し、図７はＢ−Ｂ’断面図を示す。図６および図７から分かる通り、柔軟性リップ５００の片面には複数の凸部が形成されている。
【００１５】
図５に示す様に、吸込口本体３００が矢印⇒の方向に移動させられたとき、柔軟性リップ５００は床面８００に押しつけられながら矢印方向に押されるので、矢印とは逆の方向に倒れる。したがって、進行方向の前面にある柔軟性リップ５００の場合は、この凸部を有する片面と床面８００とが接触することになり、接触面の凸部と凸部の間に隙間が生じ、この隙間がちょうど液体の導入通路の機能を果たすことになる。
【００１６】
このとき柔軟性リップと堅硬性リップのリップ高には、かなりの差がつけてあるため、柔軟性リップ５００は、堅硬性リップ６００の下側に入り込み、堅硬性リップにより床面８００に押しつけられる形となるので、床面８００との接触圧力が十分に保たれ、液体の取り残しの発生を防止することができる。また、該堅硬性リップと該床面８００の間には、該柔軟性リップ５００が入り込んでくるので、該堅硬性リップ６００が該床面８００と直接触れることが無く、吸込口本体３００のスムースな移動を阻害する要因とはならない。
【００１７】
一方進行方向の後面にある堅硬性リップ６００と床面８００の間には、柔軟性リップ５００が入り込むことはないので、該堅硬性リップ６００は床面８００と直接接することになるが、吸込口本体３００の進行方向後面を少し浮かせるようにして移動させることで、摩擦を殆ど生じさせないようにすることができる。しかも、このとき外側にある柔軟性リップは、吸込口本体３００の内部に対し強く吸引され、床面８００に押しつけられるので、接触圧力が十分に保たれ、一度取り込まれた液が縞状に漏れ出すことが無い。
【００１８】
また、吸込口本体３００が矢印⇒とは、反対の方向に移動させられたときは、進行方向が逆になり、図５に示したのと左右逆の状態となる。従って、詳細説明は省略するが、床面の液体の取り残しを発生させることが無く、一度取り込んだ液が縞状に漏れ出すことが無いことは同じである。
【００１９】
このように本発明の液吸引用ノズルでは、液の取り残し、縞状液の漏れ出しを発生することなく、かつ吸込口本体をスムースに移動することができるという効果がある。
【００２０】
以上、本発明の柔軟性リップはゴム製、堅硬性リップは熱硬化性樹脂製を例として説明したが、所望の柔軟性、堅硬性が得られる限り、これに限定されない。また、柔軟性リップは輪状として説明したが、前後二つのリップで構成することも可能である。
【００２１】
また、堅硬性リップについては、前後二つのリップで構成し、しかも、前側リップのリップ高を後ろ側リップのリップ高よりやや大きくすることにより、ノズルが床面の置かれたとき、ノズル全体が後ろ側をやや低くするように傾斜し、ノズルを引っ張りながら作業するのに操作が容易になる。ここで前側、後ろ側とは、図４に示す用に吸込口本体３００に首部７００が取り付けられた方（図４の左側）が後ろ側でその反対側（図４で右側）が前側である。
【図面の簡単な説明】
【００２２】
【図１】本発明の液吸引用ノズルの外観
【図２】本発明の液吸引用ノズルの平面図
【図３】本発明の液吸引用ノズルの底面図
【図４】Ａ−Ａ’断面図
【図５】使用時のＡ−Ａ’断面図
【図６】柔軟性リップの正面図
【図７】柔軟性リップのＢ−Ｂ’断面図
【図８】非特許文献１の先行技術のＡ−Ａ’断面図相当
【符号の説明】
【００２３】
３００    吸込口本体
３１０    リップ固定用ねじ
３３０    吸込口本体の外壁
３４０    吸込口本体の内壁
３５０    リップ挿入用空隙
５００    柔軟性リップ
６００    堅硬性リップ
７００    首部
８００    床面
９００    曲がり管  
【図１】
2010088597.tif 000003
【図２】
2010088597.tif 000004
【図３】
2010088597.tif 000005
【図４】
2010088597.tif 000006
【図５】
2010088597.tif 000007
【図６】
2010088597.tif 000008
【図７】
2010088597.tif 000009
【図８】
2010088597.tif 000010